(57)【要約】【課題】かごドアの全閉時の保持力を強化することにより、安易に振動等でかごドアが開かないようにしたダムウエータのかごドア装置を得る。【解決手段】かごドアと固定部との間に回動自在に設けられ、一端部がかごドアに設けた連動支点と互いに摺動可能に係合され、内部に比較的比重の大きい流動体が封入されたかごドア開閉保持装置を備え、このかごドア開閉保持装置は、かごドア戸開時に内部に封入された流動体を反かごドア側に溜め込んで流動体の重量で戸開方向の負荷を与えるとともに、かごドア戸閉時に流動体を反かごドア側からかごドア側に移動させることにより流動体の重量で戸閉方向の負荷を与える。【選択図】      図１
2005015164.tif 000002
【特許請求の範囲】
【請求項１】
昇降路内を昇降するかごと、このかごの出入口を開閉する上開き式のかごドアと、このかごドアの開閉をガイドするドアレールとを備えたダムウエータのかごドア装置において、上記かごドアと固定部との間に回動自在に設けられ、一端部が上記かごドアに設けた連動支点と互いに摺動可能に係合され、内部に比較的比重の大きい流動体が封入されたかごドア開閉保持装置を備え、このかごドア開閉保持装置は、かごドア戸開時に内部に封入された流動体を反かごドア側に溜め込んで上記流動体の重量で戸開方向の負荷を与えるとともに、かごドア戸閉時に流動体を反かごドア側からかごドア側に移動させることにより上記流動体の重量で戸閉方向の負荷を与えることを特徴とするダムウエータのかごドア装置。
【請求項２】
かごドア開閉保持装置は、戸開時に流動体を溜め込みかつ戸閉時に流動体を吐き出す本体タンク部と、かごドアに設けた連動支点と互いに摺動可能に係合する摺動溝を有しかつ上記本体タンク部と互いに連通する空洞部を有する腕部とから構成されたことを特徴とする請求項１記載のダムウエータのかごドア装置。
【請求項３】
かごドアの連動支点は、かごドアの正面の中央部下方寄りに突設された固定軸と、この固定軸の先端に回転自在に設けられた摺動ローラとから構成されたことを特徴とする請求項１又は請求項２記載のダムウエータのかごドア装置。
【請求項４】
流動体が水銀等の液体であることを特徴とする請求項１〜請求項３のいずれかに記載のダムウエータのかごドア装置。
【請求項５】
流動体が粒状の素材又は玉状の素材からなる固体であることを特徴とする請求項１〜請求項３のいずれかに記載のダムウエータのかごドア装置。
【発明の詳細な説明】
【０００１】
【発明の属する技術分野】
この発明はダムウエータのかごドア装置に関するものである。
【０００２】
【従来の技術】
従来のダムウエータのかごドア装置においては、かごドアの開閉はブレーキやモータ等により制御されず、かごドアとバランスおもりのバランス状態により、手で開閉している（例えば、特許文献１参照）。
【０００３】
【特許文献１】
特開１９９８−１６７６３７号公報
【０００４】
【発明が解決しようとする課題】
従来のダムウエータのかごドア装置にあっては、かごドアの重量とバランスおもりの重量に加え、かごドアシューの摩擦、ドアレールやかごドアのねじれ等により、完全なるバランス状態を保つことが困難である。そのため、走行中に振動等外部の力が加わった時、バランスが崩れ、かごドアが全閉状態から開く不具合が発生している。これにより、かごから昇降路へ積荷がはみ出し、昇降路の機器にぶつかったり、挟まれたりし、積荷の損傷やダムウエータの運行不能という問題点があった。
【０００５】
この発明は、上述のような課題を解決するためになされたもので、第１の目的は、かごドアの全閉時の保持力を強化することにより、安易に振動等でかごドアが開かないようにしたダムウエータのかごドア装置を提供するものである。
【０００６】
【課題を解決するための手段】
この発明に係るダムウエータのかごドア装置は、かごドアと固定部との間に回動自在に設けられ、一端部がかごドアに設けた連動支点と互いに摺動可能に係合され、内部に比較的比重の大きい流動体が封入されたかごドア開閉保持装置を備え、このかごドア開閉保持装置は、かごドア戸開時に内部に封入された流動体を反かごドア側に溜め込んで流動体の重量で戸開方向の負荷を与えるとともに、かごドア戸閉時に流動体を反かごドア側からかごドア側に移動させることにより流動体の重量で戸閉方向の負荷を与えるものである。
【０００７】
【発明の実施の形態】
実施の形態１．
図１はこの発明の実施の形態１におけるダムウエータのかごドア装置を示す斜視図、図２はかごドアの開閉保持装置を示す拡大斜視図、図３はかごドアの連動支点の構成を示す拡大斜視図、図４は図１のＩＶ−ＩＶ線に沿った断面図、図５はかごドアの全閉状態を示す正面図、図６はかごドアの開閉途中を示す正面図、図７はかごドアの全開状態を示す正面図である。
図１〜図４において、ダムウエータのかごドア装置は、昇降路内を昇降するとともに小荷物等の積荷を出し入れするかご１と、このかごの正面の出入口を開閉する一枚戸上開き式のかごドア２と、かご１の両側部に設けられ、かごドア２の開閉をガイドする左右一対のドアレール３と、かごドア２の両側部上下にそれぞれ設けられ、ドアレール３に沿って上下方向に摺動するかごドアシュー４とから構成されている。一方のドアレール３の中央部下方寄りに支持金具５が取り付けられ、この支持金具５の軸５ａに対しかごドア開閉保持装置６が回動自在に取り付けられている。また、かごドア２の正面の中央部下方寄りに突設された連動支点７が設けられ、この連動支点７はかごドア２の正面から突設された固定軸７ａとこの固定軸の先端に回転自在に設けられた摺動ローラ７ｂとにより構成されている。上記かごドア開閉保持装置６は、軸５ａの外方寄りに位置し内部に比較的比重の大きい流動体８、例えば水銀等の液体が封入された本体タンク部６ａと、この本体タンク部の一側部に設けられ軸５ａの内方寄りのかごドア２正面に位置する腕部６ｂとから構成されている。このかごドア開閉保持装置６の腕部６ｂは、上記本体タンク部６ａ内と互いに連通し内部に封入された流動体８が移動可能な空洞部６ｃと、上記かごドア２の連動支点７の摺動ローラ７ｂと互いに係合し摺動ローラ７ｂが摺動しながら移動する摺動溝６ｄが設けられており、この摺動溝６ｄの長さＬが摺動ローラ７ｂの可動範囲となる。また、かごドア開閉保持装置６の本体タンク部６ａの一側面上部には流動体８の注入口及びその蓋体６ｅが設けられている。
【０００８】
次に、図５〜図７によりダムウエータのかごドア装置のかごドア２とかごドア開閉保持装置６の動作を説明する。
かごドア２の全閉状態では、図５に示すように、かごドア２の摺動ローラ７ｂとかごドア開閉保持装置６の腕部６ｂの摺動溝６ｄとが係合している連動支点７がかご１の下部寄りにあるので、かごドア開閉保持装置６の内部に注入された流動体８は本体タンク部６ａよりも下方すなわち腕部６ｂの空洞部６ｃへと流れ込んで溜まる。これにより、流動体８の重量はかごドア２の戸閉方向（下方向）に掛かるので、かごドア２は常時戸閉方向の負荷を与えられている。その為、かご１が走行中振動しても、そのショックでかごドア２が開くことはない。
図５の状態からかごドア２を上に押し上げると、図６に示すように、かごドア２が開閉途中状態となる。この時、かごドア開閉保持装置６は、支持金具５の軸５ａを支点として回動し、かごドア２の摺動ローラ７ｂはかごドア開閉保持装置６の腕部６ｂの摺動溝６ｄを移動する。そして、本体タンク部６ａは下降し、腕部６ｂは水平位置から更に上昇しようとするので、かごドア開閉保持装置６の内部の流動体８が本体タンク部６ａに流れ込む。
かごドア２の全開状態では、図７に示すように、かごドア開閉保持装置６は、かごドア２と連動された状態のまま全開となる。この時、かごドア開閉保持装置６の腕部６ｂの反タンク側は上昇し、本体タンク部６ａは支持金具５の軸５ａを支点として下降方向に回動するので、流動体８は全て本体タンク部６ａ内に溜まる。この状態でかごドア２は、流動体８の重量で常時戸開方向の負荷を与えられている。
【０００９】
上記したように実施の形態１によれば、ダムウエータの戸閉状態にあっては、かごドア開閉保持装置内の流動体の重量により、戸閉方向に保持力を与えているため、かご走行中の振動等による外部からの力で、安易にかごドアが開き昇降路へ積荷がはみ出し、昇降路の機器にぶつかったり、挟まれたりして、積荷の損傷やダムウエータの運行不能が防止できる。また、流動体の比重の大きさや量により、必要な保持力を調整することができ、高い精度が得られる。
【００１０】
実施の形態２．
上記実施の形態１では、流動体８として、例えば水銀等の液体が封入された例を説明したが、流動体８を粒状の素材、例えば砂鉄、砂等の固体にしても良く、また流動体８を玉状の素材、例えば鉄球、銅球等の固体にしても良く、いずれの場合も実施の形態１と同様の効果が得られる。
【００１１】
【発明の効果】
この発明は以上説明したように、かごドアと固定部との間に回動自在に設けられ、一端部がかごドアに設けた連動支点と互いに摺動可能に係合され、内部に比較的比重の大きい流動体が封入されたかごドア開閉保持装置を備え、このかごドア開閉保持装置は、かごドア戸開時に内部に封入された流動体を反かごドア側に溜め込んで流動体の重量で戸開方向の負荷を与えるとともに、かごドア戸閉時に流動体を反かごドア側からかごドア側に移動させることにより流動体の重量で戸閉方向の負荷を与えるので、かご走行中、戸閉方向に常時保持力が与えられるため、振動等による外部からの力で、安易にかごドアが開き昇降路へ積荷がはみ出し、昇降路の機器にぶつかったり、挟まれたりして、積荷の損傷やダムウエータの運行不能が防止できる。また、流動体の比重の大きさや量により、必要な保持力を調整することができ、高い精度が得られる。
【図面の簡単な説明】
【図１】この発明の実施の形態１におけるダムウエータのかごドア装置を示す斜視図である。
【図２】この発明の実施の形態１におけるダムウエータのかごドア装置のかごドア開閉保持装置を示す拡大斜視図である。
【図３】この発明の実施の形態１におけるダムウエータのかごドア装置の連動支点の構成を示す拡大斜視図である。
【図４】図１のＩＶ−ＩＶ線に沿った断面図である。
【図５】この発明の実施の形態１におけるダムウエータのかごドアの全閉状態を示す正面図である。
【図６】同じくかごドアの開閉途中を示す正面図である。
【図７】同じくかごドアの全開状態を示す正面図である。
【符号の説明】
１  かご
２  かごドア
３  ドアレール
４  かごドアシュー
５  支持金具
５ａ  軸
６  かごドア開閉保持装置
６ａ  本体タンク部
６ｂ  腕部
６ｃ  空洞部
６ｄ  摺動溝
６ｅ  注入口、蓋体
７  連動支点
７ａ  固定軸
７ｂ  摺動ローラ
８  流動体
【図１】
2005015164.tif 000003
【図２】
2005015164.tif 000004
【図３】
2005015164.tif 000005
【図４】
2005015164.tif 000006
【図５】
2005015164.tif 000007
【図６】
2005015164.tif 000008
【図７】
2005015164.tif 000009